(57)【要約】【課題】動作条件を迅速かつ容易に設定する。【解決手段】入力対象領域として選択されている設定値入力領域１１−１ａに新たな設定値が入力された状態において確定ボタン１４に対するタッチ操作が行われ、かつタッチ操作の開始点とタッチ操作の終了点との間の距離が予め規定された距離以上のときに、新たな設定値を設定値入力領域１１−１ａに対応する設定項目の設定値として確定させると共に、開始点に対する終了点の存在方向（例えば右向き）を特定し、かつ選択されている設定値入力領域１１−１ａに対して特定した存在方向（右向き）に位置する設定値入力領域１１−１ｂを新たな入力対象領域としてカーソル表示１２を表示させる。【選択図】図７
2014157523.tif 000002
【特許請求の範囲】
【請求項１】
表示部と、操作部と、動作条件に関する複数の設定項目毎に設定値を入力する設定値入力領域がそれぞれ設けられた動作条件設定画面を前記表示部に表示させると共に前記操作部に対する入力操作によって前記各設定値入力領域に入力された前記各設定値に基づいて動作条件データを生成する処理部とを備えた測定装置であって、
前記操作部は、前記表示部に配設されたタッチパネルを備え、
前記処理部は、前記各設定値入力領域のうちから前記設定値の入力対象領域として選択されている当該設定値入力領域を特定させる対象領域特定表示と、前記入力操作によって前記設定値入力領域に入力された前記設定値を確定させる確定ボタン表示とを前記動作条件設定画面に表示させると共に、前記入力対象領域として選択されている前記設定値入力領域に新たな前記設定値が入力された状態において前記タッチパネルにおける前記確定ボタン表示の表示領域に対するタッチ操作が行われ、かつ当該タッチ操作の開始点と当該タッチ操作の終了点との間の距離が予め規定された距離以上のときに、前記新たな設定値を確定させると共に、前記開始点に対する前記終了点の存在方向を特定し、かつ前記選択されている設定値入力領域に対して前記特定した存在方向に位置する前記設定値入力領域を新たな前記入力対象領域として前記対象領域特定表示を表示させる測定装置。
【請求項２】
前記処理部は、前記入力対象領域として選択されている前記設定値入力領域に新たな前記設定値が入力された状態において前記確定ボタン表示の表示領域に対するタッチ操作が行われ、かつ当該タッチ操作の開始点と当該タッチ操作の終了点との間の距離が前記予め規定された距離を下回っているときに、前記新たな設定値を確定させると共に、前記選択されている設定値入力領域に対して予め規定された第１の方向に位置する前記設定値入力領域を新たな前記入力対象領域として前記対象領域特定表示を表示させる請求項１記載の測定装置。
【請求項３】
前記処理部は、前記入力対象領域として選択されている前記設定値入力領域に新たな前記設定値が入力されることなく前記確定ボタン表示の表示領域に対するタッチ操作が行われ、かつ当該タッチ操作の開始点と当該タッチ操作の終了点との間の距離が前記予め規定された距離以上のときに、当該開始点に対する当該終了点の存在方向を特定し、かつ前記選択されている設定値入力領域に対して前記特定した存在方向に位置する前記設定値入力領域を新たな前記入力対象領域として前記対象領域特定表示を表示させる請求項１または２記載の測定装置。
【請求項４】
前記処理部は、前記入力対象領域として選択されている前記設定値入力領域に新たな前記設定値が入力されることなく前記確定ボタン表示の表示領域に対するタッチ操作が行われ、かつ当該タッチ操作の開始点と当該タッチ操作の終了点との間の距離が前記予め規定された距離を下回っているときに、前記選択されている設定値入力領域に対して予め規定された第２の方向に位置する前記設定値入力領域を新たな前記入力対象領域として前記対象領域特定表示を表示させる請求項１から３のいずれかに記載の測定装置。
【請求項５】
前記処理部は、前記入力対象領域として選択されている前記設定値入力領域に新たな前記設定値が入力された状態において当該選択されている設定値入力領域以外の前記設定値入力領域の表示部位に対するタッチ操作が行われたときに、前記新たな設定値を確定させると共に、前記タッチ操作が行われた前記設定値入力領域を新たな前記入力対象領域として前記対象領域特定表示を表示させる請求項１から４のいずれかに記載の測定装置。
【発明の詳細な説明】
【技術分野】
【０００１】
本発明は、動作条件設定画面の各設定値入力領域に入力された設定値に基づいて動作条件データを生成可能に構成された測定装置に関するものである。
【背景技術】
【０００２】
この種の測定装置として、出願人は、入力信号の電気的パラメータや、温度、湿度、光度、音量および風力などのパラメータを変換した電圧値等をアナログ−デジタル変換してサンプリングデータを生成可能な測定装置を特開２００９−１６８６４０号公報に開示している。この測定装置の使用に際しては、測定部の各ＣＨ１〜ＣＨ４毎に動作条件をそれぞれ設定する。
【０００３】
具体的には、まず、動作条件設定用画面を表示させ、任意の設定項目（任意の測定チャンネルにおける任意の設定項目）にカーソル表示を重ねて表示させた状態で所望の設定値を入力する。次いで、他の任意の設定項目にカーソル表示を移動させ、所望の設定値を入力する。続いて、設定値を設定すべき他の設定項目についても同様にして所望の設定値を入力した後に、ＯＫボタンを操作することにより、各設定項目毎に入力された設定値が確定値として決定されて（確定されて）動作条件設定用画面が閉じられると共に、決定された確定値に基づいて動作条件データが生成される。これにより、動作条件データに基づく測定処理の準備が完了する。
【先行技術文献】
【特許文献】
【０００４】
【特許文献１】特開２００９−１６８６４０号公報（第４−８頁、第１−６図）
【発明の概要】
【発明が解決しようとする課題】
【０００５】
ところが、出願人が開示している測定装置には、以下の改善すべき課題が存在する。すなわち、出願人が開示している測定装置では、動作条件の設定時（動作条件データの生成時）に、複数の設定項目のうちから設定値を入力すべき（または、変更すべき）設定項目を選択してカーソル表示を重ねて表示させた状態において所望の設定値を入力し、その後に、他の任意の設定項目を選択してカーソル表示を重ねて表示させた状態において所望の設定値を入力する操作を繰り返して実行することで、測定部の各ＣＨ１〜ＣＨ４毎の各種の動作条件を設定可能に構成されている。
【０００６】
この場合、この種の測定装置のなかには、所定の設定項目に関する設定値の入力後に、他の設定項目の選択に先立って確定操作を行うことにより、入力した設定値がその設定項目の設定値として確定され、確定操作を行わずに他の設定項目を選択したときには入力した設定値が破棄される構成が採用されている装置が存在する。したがって、そのような構成の測定装置において複数の設定項目に関して設定値を順次設定するには、「設定項目の選択操作」、「設定値の入力操作」および「設定値の確定操作」を繰り返して実行する必要がある。このため、動作条件の設定作業が煩雑であり、設定作業に長時間を要しているという現状がある。
【０００７】
一方、設定値の入力後に確定操作を要する測定装置のなかには、確定操作を行ったときに、設定値が確定された設定項目の表示部位に対して予め規定された方向（例えば、右方、または、下方）に位置する設定項目が「次に設定値を入力する設定項目」として自動的に選択される構成が採用されている装置が存在する。このような構成の測定装置では、「設定値の確定操作」が「設定項目の選択操作」を兼ねているため、動作条件の設定作業がある程度容易となる可能性がある。しかしながら、このような構成の測定装置では、確定操作時に自動選択される設定項目が、設定値が確定された設定項目の右方（または、下方）に位置する設定項目に限定される。このため、設定値が確定された設定項目の左方、上方および下方（または、上方、右方および左方）に位置する設定項目に設定値を入力するには、依然として「設定項目の選択操作」が必要となっている。
【０００８】
本発明は、かかる改善すべき課題に鑑みてなされたものであり、動作条件の設定作業を迅速かつ容易に実行し得る測定装置を提供することを主目的とする。
【課題を解決するための手段】
【０００９】
上記目的を達成すべく請求項１記載の測定装置は、表示部と、操作部と、動作条件に関する複数の設定項目毎に設定値を入力する設定値入力領域がそれぞれ設けられた動作条件設定画面を前記表示部に表示させると共に前記操作部に対する入力操作によって前記各設定値入力領域に入力された前記各設定値に基づいて動作条件データを生成する処理部とを備えた測定装置であって、前記操作部は、前記表示部に配設されたタッチパネルを備え、前記処理部は、前記各設定値入力領域のうちから前記設定値の入力対象領域として選択されている当該設定値入力領域を特定させる対象領域特定表示と、前記入力操作によって前記設定値入力領域に入力された前記設定値を確定させる確定ボタン表示とを前記動作条件設定画面に表示させると共に、前記入力対象領域として選択されている前記設定値入力領域に新たな前記設定値が入力された状態において前記タッチパネルにおける前記確定ボタン表示の表示領域に対するタッチ操作が行われ、かつ当該タッチ操作の開始点と当該タッチ操作の終了点との間の距離が予め規定された距離以上のときに、前記新たな設定値を確定させると共に、前記開始点に対する前記終了点の存在方向を特定し、かつ前記選択されている設定値入力領域に対して前記特定した存在方向に位置する前記設定値入力領域を新たな前記入力対象領域として前記対象領域特定表示を表示させる。なお、「新たな設定値が入力された状態」には、「設定値が未入力の設定値入力領域に設定値が新規に入力された状態」だけでなく、「入力されていた設定値とは異なる設定値が入力された（入力値が変更された）状態」がこれに含まれる。
【００１０】
また、請求項２記載の測定装置は、請求項１記載の測定装置において、前記処理部は、前記入力対象領域として選択されている前記設定値入力領域に新たな前記設定値が入力された状態において前記確定ボタン表示の表示領域に対するタッチ操作が行われ、かつ当該タッチ操作の開始点と当該タッチ操作の終了点との間の距離が前記予め規定された距離を下回っているときに、前記新たな設定値を確定させると共に、前記選択されている設定値入力領域に対して予め規定された第１の方向に位置する前記設定値入力領域を新たな前記入力対象領域として前記対象領域特定表示を表示させる。
【００１１】
さらに、請求項３記載の測定装置は、請求項１または２記載の測定装置において、前記処理部は、前記入力対象領域として選択されている前記設定値入力領域に新たな前記設定値が入力されることなく前記確定ボタン表示の表示領域に対するタッチ操作が行われ、かつ当該タッチ操作の開始点と当該タッチ操作の終了点との間の距離が前記予め規定された距離以上のときに、当該開始点に対する当該終了点の存在方向を特定し、かつ前記選択されている設定値入力領域に対して前記特定した存在方向に位置する前記設定値入力領域を新たな前記入力対象領域として前記対象領域特定表示を表示させる。
【００１２】
また、請求項４記載の測定装置は、請求項１から３のいずれかに記載の測定装置において、前記処理部は、前記入力対象領域として選択されている前記設定値入力領域に新たな前記設定値が入力されることなく前記確定ボタン表示の表示領域に対するタッチ操作が行われ、かつ当該タッチ操作の開始点と当該タッチ操作の終了点との間の距離が前記予め規定された距離を下回っているときに、前記選択されている設定値入力領域に対して予め規定された第２の方向に位置する前記設定値入力領域を新たな前記入力対象領域として前記対象領域特定表示を表示させる。
【００１３】
さらに、請求項５記載の測定装置は、請求項１から４のいずれかに記載の測定装置において、前記処理部は、前記入力対象領域として選択されている前記設定値入力領域に新たな前記設定値が入力された状態において当該選択されている設定値入力領域以外の前記設定値入力領域の表示部位に対するタッチ操作が行われたときに、前記新たな設定値を確定させると共に、前記タッチ操作が行われた前記設定値入力領域を新たな前記入力対象領域として前記対象領域特定表示を表示させる。
【発明の効果】
【００１４】
請求項１記載の測定装置によれば、選択されている設定値入力領域に新たな設定値が入力された状態において確定ボタン表示の表示領域に対するタッチ操作が行われ、かつタッチ操作の開始点と終了点との間の距離が予め規定された距離以上のときに、新たな設定値を確定させると共に、開始点に対する終了点の存在方向に位置する設定値入力領域を新たな入力対象領域として対象領域特定表示を表示させることにより、任意の設定値入力領域に対する設定値の入力操作を完了した後に確定ボタン表示の表示領域に対する線的なタッチ操作（スライド操作）を行うだけで、入力した設定値の確定、および新たな入力対象領域の選択が完了するため、複数の設定項目に設定値を入力して確定させる際に、「設定項目の選択操作」、「設定値の入力操作」および「設定値の確定操作」を繰り返して実行する必要がある従来の測定装置と比較して、少数回の操作で動作条件を設定することができる。また、スライド操作の向きを任意に変更することで、設定値の入力操作を完了した設定値入力領域に対して任意の向きに位置する設定値入力領域を新たな入力対象領域として選択することができるため、所望の入力対象領域を少数回の操作で選択することができる。これにより、動作条件の設定作業を迅速かつ容易に実行することができる。また、確定ボタンとは別個にカーソル移動ボタン等を設けることなく、その時点において入力対象領域として選択されている設定値入力領域に対して任意の方向に位置している設定値入力領域を新たな入力対象領域として選択することができるため、操作部の占有面積（表示部に表示される仮想ボタンの表示領域の面積、および物理的なボタンが配置されている部位の面積）を十分に小さくして、測定装置を小型化することができる。
【００１５】
また、請求項２記載の測定装置によれば、選択されている設定値入力領域に新たな設定値が入力された状態において確定ボタン表示の表示領域に対するタッチ操作が行われ、かつタッチ操作の開始点と終了点との間の距離が予め規定された距離を下回っているときに、新たな設定値を確定させると共に、選択されている設定値入力領域に対して予め規定された第１の方向に位置する設定値入力領域を新たな入力対象領域として対象領域特定表示を表示させることにより、入力対象領域として選択すべき設定値入力領域が、設定値の入力を完了した設定値入力領域に対して第１の方向に位置しているときに、確定ボタン表示の表示領域に対する点的なタッチ操作を行うことで、所望の設定値入力領域を新たな入力対象領域として選択することができるため、所望の入力対象領域を少数回の操作で選択することができる。
【００１６】
さらに、請求項３記載の測定装置によれば、選択されている設定値入力領域に新たな設定値が入力されることなく確定ボタン表示の表示領域に対するタッチ操作が行われ、かつタッチ操作の開始点と終了点との間の距離が予め規定された距離以上のときに、開始点に対する終了点の存在方向に位置する設定値入力領域を新たな入力対象領域として対象領域特定表示を表示させることにより、設定値を確定させる必要がないときであっても、確定ボタン表示の表示領域に対する線的なタッチ操作（スライド操作）を行うことで、任意の設定値入力領域を新たな入力対象領域として選択することができる。
【００１７】
また、請求項４記載の測定装置によれば、選択されている設定値入力領域に新たな設定値が入力されることなく確定ボタン表示の表示領域に対するタッチ操作が行われ、かつタッチ操作の開始点と終了点との間の距離が予め規定された距離を下回っているときに、選択されている設定値入力領域に対して予め規定された第２の方向に位置する設定値入力領域を新たな入力対象領域として対象領域特定表示を表示させることにより、入力対象領域として選択すべき設定値入力領域が、その時点において入力対象領域として選択されている設定値入力領域に対して第２の方向に位置しているときに、確定ボタン表示の表示領域に対する点的なタッチ操作を行うことで、所望の設定値入力領域を新たな入力対象領域として選択することができるため、所望の入力対象領域を少数回の操作で選択することができる。
【００１８】
また、請求項５記載の測定装置によれば、選択されている設定値入力領域に新たな設定値が入力された状態において選択されている設定値入力領域以外の設定値入力領域の表示部位に対するタッチ操作が行われたときに、新たな設定値を確定させると共に、タッチ操作が行われた設定値入力領域を新たな入力対象領域として対象領域特定表示を表示させることにより、入力対象領域として選択されている設定値入力領域と、次に設定値を入力する設定値入力領域との間に他の設定値入力領域が存在するときに、設定値を入力する設定値入力領域を直接指定して入力対象領域として選択することができるため、このような場合には、所望の入力対象領域を少数回の操作で選択することができる。
【図面の簡単な説明】
【００１９】
【図１】測定装置１の構成図である。
【図２】動作条件設定画面１０の一例を示す表示画面図である。
【図３】動作条件設定処理２０のフローチャートである。
【図４】動作条件設定処理２０における入力対象領域変更処理４０のフローチャートである。
【図５】動作条件設定処理２０における確定ボタン操作時処理５０のフローチャートである。
【図６】動作条件設定画面１０の他の一例を示す表示画面図である。
【図７】動作条件設定画面１０のさらに他の一例を示す表示画面図である。
【図８】動作条件設定画面１０のさらに他の一例を示す表示画面図である。
【図９】動作条件設定画面１０のさらに他の一例を示す表示画面図である。
【図１０】動作条件設定画面１０のさらに他の一例を示す表示画面図である。
【図１１】動作条件設定画面１０のさらに他の一例を示す表示画面図である。
【図１２】動作条件設定画面１０のさらに他の一例を示す表示画面図である。
【図１３】動作条件設定画面１０のさらに他の一例を示す表示画面図である。
【図１４】動作条件設定画面１０のさらに他の一例を示す表示画面図である。
【図１５】動作条件設定画面１０のさらに他の一例を示す表示画面図である。
【発明を実施するための形態】
【００２０】
以下、測定装置の実施の形態について、添付図面を参照して説明する。
【００２１】
図１に示す測定装置１は、「測定装置」の一例であって、測定部２、操作部３、表示部４、制御部５および記憶部６を備えて構成されている。
【００２２】
測定部２は、一例として、ＣＨ１〜ＣＨ４の４つの測定チャンネルを備え、制御部５の制御に従って各測定チャンネル毎に測定対象の物理量（電気的パラメータ等）を測定し、その測定値を制御部５に出力する処理（測定処理）を実行可能に構成されている。この場合、測定処理によって測定する物理量は、電流値、電圧値、抵抗値、電力値、位相、温度、湿度、輝度（光度）、照度、雨量および流量等の各種の「物理量」がこれに含まれる。なお、本例の測定装置１では、一例として、「直流電圧値」、「交流電圧値」、「直流電流値」、「交流電流値」および「抵抗値」のうちから選択された任意の１つを測定可能に測定部２が構成されている。
【００２３】
操作部３は、電源ボタンや、測定部２による測定処理の開始／停止を指示するスタート／ストップボタンなどの物理的な操作ボタン（図示せず）に加え、表示部４の前面側に配設されたタッチパネル（図示せず）を備え、これらの操作に応じた操作信号Ｓを制御部５に出力する。表示部４は、制御部５の制御に従い、測定装置１の動作条件を設定するための動作条件設定画面１０（図２，６〜１５参照）や、測定部２による測定処理の進行状態および測定結果を表示する測定処理画面（図示せず）などを表示する。
【００２４】
この場合、動作条件設定画面１０は、「動作条件設定画面」の一例であって、図２に示すように、この動作条件設定画面１０には、「ＣＨ１」〜「ＣＨ４」の４つの測定チャンネル毎に、「動作（設定項目Ａ）」、「測定種別（設定項目Ｂ）」「測定レンジ、下限値、上限値（設定項目Ｃ）」、「表示色（設定項目Ｄ）」および「入力（設定項目Ｅ）」の５つの設定項目毎の設定値を入力するための設定値入力領域１１−１ａ〜１１−１ｅ，１１−２ａ〜１１−２ｅ，１１−３ａ〜１１−３ｅ，１１−４ａ〜１１−４ｅ（「設定値入力領域」の一例：以下、区別しないときには「設定値入力領域１１」ともいう）が表示されると共に、カーソル表示１２、設定値入力ボタン表示部１３、確定ボタン１４、および設定終了ボタン１５が表示される。
【００２５】
カーソル表示１２は、「対象領域特定表示」の一例であって、「入力対象領域」として選択されている設定値入力領域１１を特定可能にその設定値入力領域１１に重ねて表示される。設定値入力ボタン表示部１３には、「入力対象領域」として選択されている設定値入力領域１１の設定項目の内容（設定され得る設定値の内容）に応じて、図２，７，８に示すような設定値選択候補（「ＡＣ」、「ＤＣ」、「ＯＮ」、「ＯＦＦ」、「電圧」、「電流」および「抵抗」等）や、図９〜１５に示すような数値入力ボタン（仮想ボタン）などが表示される。確定ボタン１４は、「確定ボタン表示」の一例である仮想ボタンって、後述するように、この確定ボタン１４の表示領域に対するタッチ操作が行われることによって、設定値入力領域１１に入力されている設定値の確定などの各種の処理が実行される。さらに、設定終了ボタン１５は、動作条件の設定を終了する機能が割り当てられた仮想ボタンであって、後述するように、この設定終了ボタン１５の表示領域がタッチ操作されることによって、動作条件設定画面１０が閉じられると共に、各設定値入力領域１１に入力されている設定値に基づいて動作条件データＤ０が生成される。
【００２６】
制御部５は、測定装置１を総括的に制御する。具体的には、制御部５は、後述するように図３に示す動作条件設定処理２０を実行して動作条件データＤ０を生成し、生成した動作条件データＤ０を記憶部６に記憶させる。また、制御部５は、記憶部６に記憶させた動作条件データＤ０に従って測定部２を制御して測定処理を実行させると共に、測定部２から出力される測定値に基づいて測定結果データＤ１を生成して記憶部６に記憶させる。記憶部６は、制御部５の動作プログラムや、上記の動作条件データＤ０および測定結果データＤ１などを記憶する。
【００２７】
この測定装置１による物理量の測定に際しては、まず、動作条件（測定部２による測定処理の条件）を設定する。具体的には、操作部３を操作して動作条件の設定開始を指示する。この際に、制御部５は、操作部３からの操作信号Ｓに従い、図６に示すように、動作条件設定画面１０を表示部４に表示させると共に、図３に示す動作条件設定処理２０を開始する。この動作条件設定処理２０では、制御部５は、まず、各設定値入力領域１１のうちのいずれかが選択されているか否かを判別する（ステップ２１）。
【００２８】
この場合、動作条件の設定作業を開始した直後のこの時点においては、図６に示すように、各設定値入力領域１１−１ａ〜１１−４ａ（ＣＨ１〜ＣＨ４の設定項目Ａ）に初期値の「ＯＦＦ」との設定値（その測定チャンネルを使用した測定処理を実行しない旨の設定値）が表示されると共に、その他の設定値入力領域１１に設定値が未入力の状態で、いずれの設定値入力領域１１も選択されていない状態となっている。したがって、同図に示す例では、カーソル表示１２（図２，７〜１５参照）および設定値入力ボタン表示部１３（設定値入力ボタン表示部１３の設定値候補や数値入力ボタン等：図２，７〜１５参照）が非表示となっている。
【００２９】
次いで、制御部５は、いずれかの設定値入力領域１１に対するタッチ操作（各設定値入力領域１１のうちのいずれかの設定値入力領域１１を「入力対象領域」として選択する操作）が行われたか否かを監視する（ステップ２２）。この際に、例えばＣＨ１の設定項目Ａについての設定値入力領域１１−１ａに対するタッチ操作が行われたときに、制御部５は、図７に示すように、設定値入力領域１１−１ａを「入力対象領域」としてカーソル表示１２を設定値入力領域１１−１ａに重ねて表示させると共に、設定値入力領域１１−１ａの内容に応じた設定値候補（この例では、「ＯＮ」および「ＯＦＦ」との候補）を設定値入力ボタン表示部１３に表示させる（ステップ２３）。
【００３０】
続いて、制御部５は、「入力対象領域」として設定値入力領域１１−１ａが選択されていると判別し（ステップ２１）、動作条件設定画面１０内の各部に対するタッチ操作の有無を監視する。なお、この動作条件設定処理２０では、以下に説明する各ステップの処理が完了したときにこのステップ２１の判別処理が実行されるが、測定装置１における動作条件の設定操作に関する理解を容易とするために、以下、この判別処理に関する説明を省略する。
【００３１】
また、この動作条件設定処理２０では、動作条件設定画面１０内のいずれかの部位に対するタッチ操作が行われたときに、後述するように、制御部５が、いずれかの設定値入力領域１１の表示部位に対するタッチ操作が行われたか否か（ステップ２４）、設定値入力ボタン表示部１３の表示部位に対するタッチ操作が行われたか否か（ステップ２５）、確定ボタン１４の表示部位に対するタッチ操作が行われたか否か（ステップ２７）、設定終了ボタン１５の表示部位に対するタッチ操作が行われたか否か（ステップ２８）、および操作無効領域に対するタッチ操作が行われたか否か（ステップ３０）を、該当するタッチ操作が行われたと判別するまで順次実行するが、測定装置１における動作条件の設定操作に関する理解を容易とするために、以下、該当するタッチ操作が行われていないと判別したステップの処理に関する説明を省略する。
【００３２】
この際に、設定値入力領域１１−１ａに対する設定値の入力を実施しようとしている利用者は、設定値入力ボタン表示部１３に表示されている両設定値候補のなかから「ＯＮ」との候補を選択してタッチ操作する。これに応じて、制御部５は、「設定値入力ボタンの表示領域に対するタッチ操作（以下、単に「設定値入力ボタンに対するタッチ操作」ともいう）」が行われたと判別し（ステップ２５）、選択された候補の「ＯＮ」との設定値を設定値入力領域１１−１ａに表示させる（ステップ２６）。
【００３３】
この際に、本例の測定装置１では、設定値入力領域１１−１ａに対する設定値の入力操作が完了したときに、入力されている設定値を確定させて次の設定値入力領域１１に対する設定値の入力を開始するための操作として、以下の３種類の操作のいずれかを採用することができるように構成されている。まず、第１の操作方法では、一例として、次に「入力対象領域」とすべき設定値入力領域１１−１ｂに対するタッチ操作を行う。この際に、制御部５は、他の設定値入力領域１１に対するタッチ操作が行われたと判別して（ステップ２４）、図４に示す入力対象領域変更処理４０を開始する。
【００３４】
この入力対象領域変更処理４０では、設定値入力領域１１−１ｂに対するタッチ操作が行われた時点において「入力対象領域」として選択されていた設定値入力領域１１（この例では、設定値入力領域１１−１ａ）に新たな設定値が入力されていると判別し（ステップ４１）、その設定値を設定値入力領域１１−１ａの設定項目（この例では、ＣＨ１の設定項目Ａ）の設定値として確定させる（ステップ４２）。次いで、制御部５は、タッチ操作によって選択された設定値入力領域１１−１ｂを新たな「入力対象領域」として図８に示すように、カーソル表示１２を設定値入力領域１１−１ｂに重ねて表示させる（カーソル表示１２を設定値入力領域１１−１ａから設定値入力領域１１−１ｂに移動させる）と共に、設定値入力領域１１−１ｂの内容に応じた設定値候補（この例では、「電圧」、「電流」および「抵抗」との候補）を設定値入力ボタン表示部１３に表示させ（ステップ４３）、この入力対象領域変更処理４０を終了する。これにより、設定値入力領域１１−１ａに入力した設定値の確定、および新たな「入力対象領域」としての設定値入力領域１１−１ｂの選択作業が完了する。
【００３５】
一方、第２の操作方法では、設定値入力領域１１−１ａに対する設定値の入力操作が完了している状態（設定値入力領域１１−１ａに設定値が表示されている状態）において確定ボタン１４の表示領域に対する点的なタッチ操作を行う。具体的には、図７に示す状態において確定ボタン１４の表示領域に対する点的なタッチ操作（タッチパネルに接した指をタッチパネル上で移動させないタッチ操作：以下、単に「確定ボタン１４に対する点的なタッチ操作」ともいう）が行われたときに（ステップ２７）、制御部５は、図５に示す確定ボタン操作時処理５０を開始する。
【００３６】
この確定ボタン操作時処理５０では、制御部５は、まず、タッチ操作が終了するまで（タッチパネルから指などが離間するまで）待機する（ステップ５１）。また、タッチ操作が終了したときに、制御部５は、「入力対象領域」として選択されている（カーソル表示１２が重ねて表示されている）設定値入力領域１１（この例では、設定値入力領域１１−１ａ）に設定値が入力されているか否かを判別し（ステップ５２）、この例では、「ＯＮ」との設定値が入力されていると判別して、その設定値を「入力対象領域」として選択されている設定値入力領域１１−１ａの設定項目（この例では、ＣＨ１の設定項目Ａ）の設定値として確定させる（ステップ５３）。
【００３７】
次いで、制御部５は、上記のタッチ操作の開始点および終了点をそれぞれ特定する（ステップ５４）。この際に、確定ボタン１４に対する点的なタッチ操作が行われた本例では、制御部５は、ステップ５４において特定した開始点と終了点との間の距離（開始点および終了点の離間距離）が「予め規定された距離（スライド操作ではないと判定する基準の距離）」を下回っていると判別する（ステップ５５）。
【００３８】
この際には、ステップ５３において設定値を確定させた設定値入力領域１１−１ａに対して右方（「予め規定された第１の方向」が「右方」の例）に隣接（１つ隣り：以下同様）して位置する設定値入力領域１１−１ｂを新たな「入力対象領域」として、図８に示すように、カーソル表示１２を設定値入力領域１１−１ｂに重ねて表示させると共に、設定値入力領域１１−１ｂの内容に応じた設定値候補を設定値入力ボタン表示部１３に表示させ（ステップ５６）、この確定ボタン操作時処理５０を終了する。これにより、設定値入力領域１１−１ａに入力した設定値の確定、および新たな「入力対象領域」としての設定値入力領域１１−１ｂの選択作業が完了する。
【００３９】
また、第３の操作方法では、設定値入力領域１１−１ａに対する設定値の入力操作が完了している状態において確定ボタン１４の表示領域に対する線的なタッチ操作（スライド操作）を行う。具体的には、図７に示す状態において確定ボタン１４の表示領域に対する右向きの線的なタッチ操作（タッチパネルに接した指をタッチパネル上で右向きにスライドさせるタッチ操作：以下、単に「確定ボタン１４に対する右向きのスライド操作」ともいう）が行われたときに（ステップ２７）、制御部５は、上記の確定ボタン操作時処理５０を開始する。
【００４０】
この際に、制御部５は、まず、タッチ操作が終了するまで待機した後に（ステップ５１）、「入力対象領域」として選択されている設定値入力領域１１−１ａに設定値が入力されていると判別する（ステップ５２）。次いで、制御部５は、入力されている「ＯＮ」との設定値を設定値入力領域１１−１ａの設定項目の設定値として確定させた後に（ステップ５３）、上記のタッチ操作の開始点および終了点をそれぞれ特定する（ステップ５４）。この際に、確定ボタン１４に対する右向きのスライド操作が行われた本例では、制御部５は、ステップ５４において特定して開始点と終了点との間の距離が「予め規定された距離」以上であると判別する（ステップ５５）。
【００４１】
したがって、制御部５は、ステップ５３において設定値を確定させた設定値入力領域１１−１ａに対して、上記のスライド操作の開始点に対する終了点の存在方向（この例では、右向き）に隣接して位置する設定値入力領域１１−１ｂを新たな「入力対象領域」として、図８に示すように、カーソル表示１２を設定値入力領域１１−１ｂに重ねて表示させる（カーソル表示１２を設定値入力領域１１−１ａから設定値入力領域１１−１ｂに移動させる）と共に、設定値入力領域１１−１ｂの内容に応じた設定値候補を設定値入力ボタン表示部１３に表示させ（ステップ５７）、この確定ボタン操作時処理５０を終了する。これにより、設定値入力領域１１−１ａに入力した設定値の確定、および新たな「入力対象領域」としての設定値入力領域１１−１ｂの選択作業が完了する。
【００４２】
なお、上記の例とは相異するが、確定ボタン１４に対する下向きのスライド操作を行ったときには、制御部５は、スライド操作の開始点に対する終了点の存在方向（この例では、下向き）に隣接して位置する設定値入力領域１１−２ａを新たな「入力対象領域」としてカーソル表示１２を重ねて表示させる（カーソル表示１２を設定値入力領域１１−１ａから設定値入力領域１１−２ａに移動させる）と共に、設定値入力領域１１−２ａの内容に応じた設定値候補を設定値入力ボタン表示部１３に表示させ（ステップ５７）、確定ボタン操作時処理５０を終了する。また、確定ボタン１４に対する左向きのスライド操作や上向きのスライド操作を行ったときには、制御部５は、スライド操作の開始点に対する終了点の存在方向に他の設定値入力領域１１が存在しないと判別し、一例として「無効な操作です」とのエラーメッセージを表示させて（図示せず）、他のタッチ操作が行われるか否かを監視する。
【００４３】
一方、上記の３種類の操作方法のいずれかによって「入力対象領域」として新たに選択された設定値入力領域１１−１ｂや、同様の操作によって新たに選択される設定値入力領域１１−１ｃにおける「測定レンジ」との領域の設定項目については、上記の設定値入力領域１１−１ａの設定項目と同様の操作によって所望の設定値を入力する。また、「測定レンジ」との領域の設定項目に例えば「１Ｖレンジ」との設定値を入力した状態において上記の第１の操作方法によって設定値入力領域１１−１ｃにおける「下限値」との領域を選択したとき、または、上記の第２の操作方法および第３の操作方法のいずれかを実施したときには、「測定レンジ」との設定項目に関して「１Ｖレンジ」との設定値が確定されると共に、設定値入力領域１１−１ｃにおける「下限値」との領域が新たな「入力対象領域」として選択される。この際には、図９に示すように、「下限値」との領域に重ねてカーソル表示１２が表示されると共に、「下限値」との設定項目の内容に応じて「数値入力ボタン」が設定値入力ボタン表示部１３に表示される。これにより、設定値入力ボタン表示部１３の数値入力ボタンを操作することにより、「下限値」として任意の値（設定値）を入力することが可能となる。
【００４４】
さらに、設定値入力領域１１−１ｃにおける「上限値」との領域、および設定値入力領域１１−１ｄについての設定値の入力および確定が終了し、設定値入力領域１１−１ｅに対する設定値の入力が完了したときに、その設定値を確定させて、設定値入力領域１１−２ａを新たな「入力対象領域」として選択する際には、一例として、設定値入力領域１１−２ａに対するタッチ操作を行う。この際に、制御部５は、設定値入力領域１１−２ａに対するタッチ操作が行われたと判別して（ステップ２４）、図４に示す入力対象領域変更処理４０を開始する。
【００４５】
この入力対象領域変更処理４０では、設定値入力領域１１−２ａに対するタッチ操作が行われた時点において「入力対象領域」として選択されていた設定値入力領域１１（この例では、設定値入力領域１１−１ｅ）に新たな設定値が入力されていると判別し（ステップ４１）、その設定値を設定値入力領域１１−１ｅの設定項目（この例では、ＣＨ１の設定項目Ｅ）の設定値として確定させる（ステップ４２）。次いで、制御部５は、タッチ操作によって選択された設定値入力領域１１−２ａを新たな「入力対象領域」としてカーソル表示１２を重ねて表示させる（カーソル表示１２を設定値入力領域１１−１ｅから設定値入力領域１１−２ａに移動させる）と共に、設定値入力領域１１−２ａの内容に応じた設定値候補を設定値入力ボタン表示部１３に表示させ（ステップ４３）、この入力対象領域変更処理４０を終了する。
【００４６】
この後、設定値入力領域１１−２ａ〜１１−２ｅおよび設定値入力領域１１−３ａ〜１１−３ｄまでの各設定値入力領域１１に対する設定値の入力および確定を完了し、その後に、設定値入力領域１１−３ｅに対する設定値の入力を完了することにより、図２に示すように、ＣＨ１〜ＣＨ３の各設定項目の設定値入力領域１１に入力された設定値がそれぞれ表示された状態となる。この状態において、設定値入力領域１１−３ｅに入力されている設定値を確定させ、かつ、設定値入力領域１１−１ａ〜１１−３ｅまでのすべての設定値を確定値として動作条件データＤ０を生成するには、設定終了ボタン１５の表示部位に対するタッチ操作（以下、「設定終了ボタン１５に対するタッチ操作」ともいう）を行う。
【００４７】
この際に、制御部５は、設定終了ボタン１５に対するタッチ操作が行われたと判別して（ステップ２８）、各設定値入力領域１１に入力されている各設定値に基づいて動作条件データＤ０を生成し（ステップ２９）、生成した動作条件データＤ０を記憶部６に記憶させてこの動作条件設定処理２０を終了する。これにより、測定部２のＣＨ１〜ＣＨ３を使用した測定処理の準備作業が完了する。
【００４８】
なお、上記の動作条件設定処理２０における一連の操作に際して、いずれかの設定値入力領域１１、設定値入力ボタン表示部１３の設定値候補や数値入力ボタン、確定ボタン１４および設定終了ボタン１５以外の部位に対するタッチ操作（操作無効領域に対するタッチ操作）が行われたときに（ステップ３０）、制御部５は、一例として、「その操作は無効です」とのエラーメッセージを表示部４に表示させた後に（ステップ３１）、他のタッチ操作が行われるか否かを監視する（ステップ２１）。
【００４９】
一方、上記の例とは相異するが、この測定装置１では、動作条件設定画面１０の各設定値入力領域１１に入力して確定させた設定値を他の設定値に変更することもできる。具体的には、一例として、図２に示すように、設定値入力領域１１−１ａ〜１１−３ｄまでの各設定値入力領域１１に対する設定値の入力および確定を完了し、その後に、設定値入力領域１１−３ｅに対する設定値の入力を完了した状態において、設定値入力領域１１−２ｃにおける「上限値」との領域の設定値を変更する際には、「上限値」との領域に対するタッチ操作を行う。この際に、制御部５は、他の設定値入力領域１１に対するタッチ操作が行われたと判別して（ステップ２４）、前述した入力対象領域変更処理４０を開始する。
【００５０】
具体的には、制御部５は、まず、タッチ操作が行われた時点における「入力対象領域」である設定値入力領域１１−３ｅに新たな設定値が入力されていると判別し（ステップ４１）、その設定値を設定値入力領域１１−３ｅの設定項目の設定値として確定させる（ステップ４２）。次いで、制御部５は、図１０に示すように、タッチ操作によって選択された設定値入力領域１１−２ｃにおける「上限値」との領域を新たな「入力対象領域」としてカーソル表示１２を重ねて表示させる（カーソル表示１２を設定値入力領域１１−３ｅから設定値入力領域１１−２ｃの「上限値」に移動させる）と共に、「上限値」との領域の内容に応じて数値入力ボタンを設定値入力ボタン表示部１３に表示させ（ステップ４３）、この入力対象領域変更処理４０を終了する。
【００５１】
この状態において、設定値入力ボタン表示部１３の「８」、「０」、「．」、「５」の数値入力ボタンを順に操作することにより、既に設定されていた（確定されていた）「＋１００．０Ｖ」との設定値を「＋８０．５Ｖ」に変更する（「新たな設定値」の入力の一例）。これにより、図１１に示すように、新たに入力された設定値が「上限値」との領域に表示される。次いで、新たに入力した設定値を確定させ、続いて、設定値入力領域１１−３ｃにおける「上限値」の設定値を変更する際には、確定ボタン１４に対する下向きのスライド操作を行う。この際に、制御部５は、確定ボタン１４に対する下向きのスライド操作が行われたと判別し（ステップ２７）、前述した確定ボタン操作時処理５０を開始する。
【００５２】
具体的には、制御部５は、まず、タッチ操作が終了するまで待機した後に（ステップ５１）、「入力対象領域」として選択されている設定値入力領域１１−２ｃの「上限値」との領域に設定値が入力されていると判別する（ステップ５２）。次いで、制御部５は、入力されている「＋８０．５Ｖ」との設定値を設定値入力領域１１−２ｃの「上限値」の設定値として確定させた後に（ステップ５３）、上記のタッチ操作の開始点および終了点をそれぞれ特定する（ステップ５４）。この際に、確定ボタン１４に対する下向きのスライド操作が行われた本例では、制御部５は、ステップ５４において特定して開始点と終了点との間の距離が「予め規定された距離」以上であると判別する（ステップ５５）。
【００５３】
したがって、制御部５は、ステップ５３において設定値を確定させた設定値入力領域１１−２ｃにおける「上限値」との領域に対して、上記のスライド操作の開始点に対する終了点の存在方向（この例では、下向き）に隣接して位置する設定値入力領域１１−３ｃの「上限値」との領域を新たな「入力対象領域」として、図１２に示すように、カーソル表示１２を設定値入力領域１１−３ｃの「上限値」に重ねて表示させる（カーソル表示１２を設定値入力領域１１−２ｃの「上限値」から設定値入力領域１１−３ｃの「上限値」に移動させる）と共に、設定値入力ボタン表示部１３に数値入力ボタンを表示させた状態を維持し（ステップ５７）、この確定ボタン操作時処理５０を終了する。これにより、設定値入力領域１１−２ｃの「上限値」に入力した設定値の確定、および新たな「入力対象領域」としての設定値入力領域１１−３ｃの「上限値」との領域の選択作業が完了する。
【００５４】
この状態において、一例として、設定値入力ボタン表示部１３の「９」、「０」、「．」、「０」の数値入力ボタンを順に操作することにより、既に設定されていた（確定されていた）「＋１００．０Ｖ」との設定値を「＋９０．０Ｖ」に変更する（「新たな設定値」の入力の他の一例）。これにより、図１３に示すように、新たに入力された「＋９０．０Ｖ」との設定値が設定値入力領域１１−３ｃにおける「上限値」との領域に表示される。
【００５５】
続いて、新たに入力した設定値を確定させ、その後に、設定値入力領域１１−２ｃにおける「下限値」の設定値を変更する際には、一例として、図１３に示す状態において設定値入力領域１１−２ｃにおける「下限値」との領域に対するタッチ操作（設定値入力領域１１−２ｃにおける「下限値」との領域を選択する操作）、および確定ボタン１４に対する２回のスライド操作のいずれかを行う。この際に、設定値入力領域１１−２ｃにおける「下限値」との領域に対するタッチ操作が行われたときに、制御部５は、他の設定値入力領域１１に対するタッチ操作が行われたと判別して（ステップ２４）、入力対象領域変更処理４０を開始する。
【００５６】
この入力対象領域変更処理４０では、タッチ操作が行われた時点において「入力対象領域」として選択されていた設定値入力領域１１−２ｃにおける「下限値」との領域に新たな設定値が入力されていないと判別し（ステップ４１）、タッチ操作によって選択された設定値入力領域１１−２ｃにおける「下限値」との領域を新たな「入力対象領域」として、図１５に示すように、カーソル表示１２を重ねて表示させると共に、設定値入力領域１１−２ｃにおける「下限値」に応じた設定値候補を設定値入力ボタン表示部１３に表示させ（ステップ４３）、この入力対象領域変更処理４０を終了する。
【００５７】
一方、確定ボタン１４に対する２回のスライド操作によって設定値入力領域１１−２ｃにおける「上限値」の設定値を確定させ、かつ設定値入力領域１１−２ｃにおける「下限値」を新たな「入力対象領域」として選択する際には、一例として、まず、確定ボタン１４に対する左向きのスライド操作を行い、次いで、確定ボタン１４に対する上向きのスライド操作を行う。
【００５８】
この場合、制御部５は、確定ボタン１４に対する左向きのスライド操作が行われたときに（ステップ２７）、確定ボタン操作時処理５０を実行する。具体的には、制御部５は、まず、タッチ操作の終了まで待機した後に（ステップ５１）、その時点において「入力対象領域」として選択されている設定値入力領域１１−３ｃの「上限値」に設定値が入力されていると判別する（ステップ５２）。次いで、制御部５は、入力されている設定値を設定値入力領域１１−３ｃの「上限値」として確定させた後に（ステップ５３）、上記のタッチ操作の開始点および終了点をそれぞれ特定する（ステップ５４）。この際に、左向きのスライド操作が行われた本例では、制御部５は、ステップ５４において特定して開始点と終了点との間の距離が「予め規定された距離」以上であると判別する（ステップ５５）。
【００５９】
したがって、制御部５は、ステップ５３において設定値を確定させた設定値入力領域１１−３ｃの「上限値」に対して、スライド操作の開始点に対する終了点の存在方向（この例では、左向き）に隣接して位置する設定値入力領域１１−３ｃの「下限値」との領域を新たな「入力対象領域」として、図１４に示すように、設定値入力領域１１−３ｃの「下限値」にカーソル表示１２を重ねて表示させる（カーソル表示１２を設定値入力領域１１−３ｃの「上限値」から「下限値」に移動させる）と共に、「下限値」に応じた設定値候補を設定値入力ボタン表示部１３に表示させ（ステップ５７）、この確定ボタン操作時処理５０を終了する。これにより、設定値入力領域１１−３ｃの「上限値」に入力した設定値が確定されると共に、設定値入力領域１１−３ｃの「下限値」が新たな「入力対象領域」として選択される。
【００６０】
続いて、確定ボタン１４に対する上向きのスライド操作が行われたときに（ステップ２７）、制御部５は、確定ボタン操作時処理５０を再び実行する。具体的には、制御部５は、まず、タッチ操作の終了まで待機した後に（ステップ５１）、その時点において「入力対象領域」として選択されている設定値入力領域１１−３ｃの「下限値」に新たな設定値が入力されていない（入力されている設定値が変更されていない）と判別する（ステップ５２）。次いで、制御部５は、上記のタッチ操作の開始点および終了点をそれぞれ特定する（ステップ５４）。この際に、上向きのスライド操作が行われた本例では、制御部５は、ステップ５４において特定して開始点と終了点との間の距離が「予め規定された距離」以上であると判別する（ステップ５５）。
【００６１】
したがって、制御部５は、ステップ５３において設定値を確定させた設定値入力領域１１−３ｃの「下限値」に対して、スライド操作の開始点に対する終了点の存在方向（この例では、上向き）に隣接して位置する設定値入力領域１１−２ｃの「下限値」との領域を新たな「入力対象領域」として、図１５に示すように、カーソル表示１２を設定値入力領域１１−２ｃの「下限値」との領域にカーソル表示１２を重ねて表示させる（カーソル表示１２を設定値入力領域１１−２ｃの「下限値」から設定値入力領域１１−２ｃの「下限値」に移動させる）と共に、「下限値」に応じた設定値候補を設定値入力ボタン表示部１３に表示させ（ステップ５７）、この確定ボタン操作時処理５０を終了する。これにより、設定値入力領域１１−２ｃの「下限値」が新たな「入力対象領域」として選択され、任意の新たな設定値を入力する（入力されている設定値を新たな設定値に変更する）ことが可能となる。
【００６２】
この際に、設定値入力領域１１−２ｃの「下限値」との領域に新たな設定値を入力せずに（入力されている設定値を変更せずに）確定ボタン１４に対する点的なタッチ操作を行ったときに、制御部５は、確定ボタン１４に対するタッチ操作が行われたと判別して（ステップ２７）、確定ボタン操作時処理５０を開始する。この確定ボタン操作時処理５０では、制御部５は、まず、タッチ操作の終了まで待機した後に（ステップ５１）、設定値入力領域１１−２ｃの「下限値」に新たな設定値が入力されていない（設定値が変更されていない）と判別し（ステップ５２）、タッチ操作の開始点および終了点をそれぞれ特定する（ステップ５４）。この際に、確定ボタン１４に対する点的なタッチ操作が行われた本例では、制御部５は、ステップ５４において特定して開始点と終了点との間の距離が「予め規定された距離（スライド操作ではないと判定する基準の距離）」を下回っていると判別する（ステップ５５）。
【００６３】
この際には、その時点において「入力対象領域」として選択されている設定値入力領域１１−２ｃの「下限値」との領域に対して右方（「予め規定された第２の方向」が「右方」の例）に隣接して位置する設定値入力領域１１−２ｃの「上限値」との領域を新たな「入力対象領域」としてカーソル表示１２を重ねて表示させると共に、「上限値」の内容に応じて数値入力ボタンを設定値入力ボタン表示部１３に表示させ（ステップ５６）、この確定ボタン操作時処理５０を終了する。これにより、新たな「入力対象領域」としての選択された設定値入力領域１１−２ｃの「上限値」との領域に任意の新たな設定値を入力することが可能となる。
【００６４】
この後、設定値を変更すべき各設定値入力領域１１を対象として新たな設定値の入力および確定作業を実施した後に設定終了ボタン１５に対するタッチ操作を行うことにより、前述したように、制御部５によって動作条件データＤ０が生成されて記憶部６に記憶される。これにより、生成された動作条件データＤ０に基づく測定処理の準備が完了する。
【００６５】
このように、この測定装置１によれば、選択されている設定値入力領域１１に新たな設定値が入力された状態において確定ボタン１４の表示領域に対するタッチ操作が行われ、かつタッチ操作の開始点と終了点との間の距離が「予め規定された距離」以上のときに、新たな設定値を確定させると共に、開始点に対する終了点の存在方向に位置する設定値入力領域１１を新たな「入力対象領域」としてカーソル表示１２を表示させることにより、任意の設定値入力領域１１に対する設定値の入力操作を完了した後に確定ボタン１４に対する線的なタッチ操作（スライド操作）を行うだけで、入力した設定値の確定、および新たな「入力対象領域」の選択が完了するため、複数の設定項目に設定値を入力して確定させる際に、「設定項目の選択操作」、「設定値の入力操作」および「設定値の確定操作」を繰り返して実行する必要がある従来の測定装置と比較して、少数回の操作で動作条件を設定することができる。また、スライド操作の向きを任意に変更することで、設定値の入力操作を完了した設定値入力領域１１に対して任意の向きに位置する設定値入力領域１１を新たな「入力対象領域」として選択することができるため、所望の「入力対象領域」を少数回の操作で選択することができる。これにより、動作条件の設定作業を迅速かつ容易に実行することができる。また、確定ボタン１４とは別個にカーソル移動ボタン等を設けることなく、その時点において「入力対象領域」として選択されている設定値入力領域１１に対して任意の方向に位置している設定値入力領域１１を新たな「入力対象領域」として選択することができるため、操作部３の占有面積（表示部４に表示される仮想ボタンの表示領域の面積、および物理的なボタンが配置されている部位の面積）を十分に小さくして、測定装置１を小型化することができる。
【００６６】
また、この測定装置１によれば、選択されている設定値入力領域１１に新たな設定値が入力された状態において確定ボタン１４の表示領域に対するタッチ操作が行われ、かつタッチ操作の開始点と終了点との間の距離が「予め規定された距離」を下回っているときに、新たな設定値を確定させると共に、選択されている設定値入力領域１１に対して予め規定された「第１の方向」に位置する設定値入力領域１１を新たな「入力対象領域」としてカーソル表示１２を表示させることにより、「入力対象領域」として選択すべき設定値入力領域１１が、設定値の入力を完了した設定値入力領域１１に対して予め規定された「第１の方向」に位置しているときに、確定ボタン１４に対する点的なタッチ操作を行うことで、所望の設定値入力領域１１を新たな「入力対象領域」として選択することができるため、所望の「入力対象領域」を少数回の操作で選択することができる。
【００６７】
さらに、この測定装置１によれば、選択されている設定値入力領域１１に新たな設定値が入力されることなく確定ボタン１４の表示領域に対するタッチ操作が行われ、かつタッチ操作の開始点と終了点との間の距離が「予め規定された距離」以上のときに、開始点に対する終了点の存在方向に位置する設定値入力領域１１を新たな「入力対象領域」としてカーソル表示１２を表示させることにより、設定値を確定させる必要がないときであっても、確定ボタン１４に対する線的なタッチ操作（スライド操作）を行うことで、任意の設定値入力領域１１を新たな「入力対象領域」として選択することができる。
【００６８】
また、この測定装置１によれば、選択されている設定値入力領域１１に新たな設定値が入力されることなく確定ボタン１４の表示領域に対するタッチ操作が行われ、かつタッチ操作の開始点と終了点との間の距離が「予め規定された距離」を下回っているときに、選択されている設定値入力領域１１に対して予め規定された「第２の方向」に位置する設定値入力領域１１を新たな「入力対象領域」としてカーソル表示１２を表示させることにより、「入力対象領域」として選択すべき設定値入力領域１１が、その時点において「入力対象領域」として選択されている設定値入力領域１１に対して予め規定された「第２の方向」に位置しているときに、確定ボタン１４に対する点的なタッチ操作を行うことで、所望の設定値入力領域１１を新たな「入力対象領域」として選択することができるため、所望の「入力対象領域」を少数回の操作で選択することができる。
【００６９】
さらに、この測定装置１によれば、選択されている設定値入力領域１１に新たな設定値が入力された状態において選択されている設定値入力領域１１以外の設定値入力領域１１の表示部位に対するタッチ操作が行われたときに、新たな設定値を確定させると共に、タッチ操作が行われた設定値入力領域１１を新たな「入力対象領域」としてカーソル表示１２を表示させることにより、「入力対象領域」として選択されている設定値入力領域１１と、次に設定値を入力する設定値入力領域１１との間に他の設定値入力領域１１が存在するときに、設定値を入力する設定値入力領域１１を直接指定して「入力対象領域」として選択することができるため、このような場合には、所望の「入力対象領域」を少数回の操作で選択することができる。
【００７０】
なお、「測定装置」の構成は、上記の測定装置１の構成に限定されない。具体的には、確定ボタン１４に対する線的なタッチ操作（スライド操作）が行われたときに、その時点において「入力対象領域」として選択されている設定値入力領域１１に対して上方、下方、左方および右方の４方向のいずれかに隣接して位置する設定値入力領域１１を新たな「入力対象領域」として選択する構成の測定装置１を例に挙げて説明したが、上記の４方向に加えて、左上方、右上方、左下方および右下方の４方向のいずれかの向きにスライド操作が行われたときに、その時点において「入力対象領域」として選択されている設定値入力領域１１に対して左上方、右上方、左下方または右下方に隣接して位置する設定値入力領域１１を新たな「入力対象領域」として選択する構成を採用することもできる。
【００７１】
また、表示部４を一体的に備えた測定装置１を例に挙げて説明したが、タッチパネル付きの外部表示装置を接続してこれを使用する構成、具体的には、一例として、「スマートフォン」、「パーソナルコンピュータ」および「タブレット」などの各種の「携帯端末装置」と「測定装置本体」とを接続し、「携帯端末装置」における表示部に配設されたタッチパネルを操作することで、上記の測定装置１におけるタッチパネルの操作時と同様に処理する構成を採用することもできる。さらに、「第１の方向」および「第２の方向」として右方が規定された構成を例に挙げて説明したが、「第１の方向」および「第２の方向」については、下方、左方、上方、左上方、右上方、左下方および右下方のいずれかに規定することもできる。
【００７２】
また、利用者によって予め選択された方向を「第１の方向」および「第２の方向」として規定する構成を採用することもできる。さらに、「確定ボタン表示の表示領域」に対するタッチ操作が行われ、かつタッチ操作の開始点と終了点との間の距離が「予め規定された距離」を下回っているとき（点的なタッチ操作が行われたとき）に、「第１の方向」や「第２の方向」に位置する「設定値入力領域」を新たな「入力対象領域」として選択しない構成や、点的なタッチ操作が行われたときに「第１の方向」や「第２の方向」に位置する「設定値入力領域」を新たな「入力対象領域」として選択するかしないかを利用者が任意に指定可能な構成を採用することもできる。
【符号の説明】
【００７３】
１  測定装置
２  測定部
３  操作部
４  表示部
５  制御部
６  記憶部
１０  動作条件設定画面
１１−１ａ〜１１−１ｅ，１１−２ａ〜１１−２ｅ，１１−３ａ〜１１−３ｅ，１１−４ａ〜１１−４ｅ  設定値入力領域
１２  カーソル表示
１３  設定値入力ボタン表示部
１４  確定ボタン
１５  設定終了ボタン
２０  動作条件設定処理
４０  入力対象領域変更処理
５０  確定ボタン操作時処理
Ｄ０  動作条件データ
Ｓ  操作信号
【図１】
2014157523.tif 000003
【図２】
2014157523.tif 000004
【図３】
2014157523.tif 000005
【図４】
2014157523.tif 000006
【図５】
2014157523.tif 000007
【図６】
2014157523.tif 000008
【図７】
2014157523.tif 000009
【図８】
2014157523.tif 000010
【図９】
2014157523.tif 000011
【図１０】
2014157523.tif 000012
【図１１】
2014157523.tif 000013
【図１２】
2014157523.tif 000014
【図１３】
2014157523.tif 000015
【図１４】
2014157523.tif 000016
【図１５】
2014157523.tif 000017